(57)【要約】【課題】光ディスク装置の回路において、ＤＶＤ−ＲＡＭディスク等を再生する際、媒体上の特性の異なるそれぞれの領域で、再生信号の直流成分を、再生信号と再生クロックの位相が異なっていても検出できる技術を提供する。【解決手段】ディスク１の再生を行う光ディスク装置の回路（ＬＳＩ１００）は、所定の再生クロックでのＡ・Ｄ変換を行うＡ・Ｄ変換器９、Ａ・Ｄ変換（及び波形等化）した再生信号の直流成分（ＤＣ）を検出する第１と第２のＤＣ検出回路１７ａ，１７ｂ、検出したＤＣを除去する第１と第２のＤＣ除去回路１３ａ，１３ｂ、及び切り替え制御のためのスイッチ１２ａ〜１２ｄ等を有する。そして、本回路は、切り替え制御により、再生信号と再生クロックの位相関係が異なった場合でも、再生信号のＤＣを検出して除去する。【選択図】図１
2009009664.tif 000002
【特許請求の範囲】
【請求項１】
ディスクにレーザ光線の焦点を合わせるための光学ピックアップを備え光学的に前記ディスクに対する情報の再生または記録再生を行う光ディスク装置の回路であって、
前記ディスクから前記ピックアップを通じて読み出されるアナログ入力信号を所定のクロックでアナログ・デジタル変換する回路と、
前記アナログ・デジタル変換した信号の直流成分を検出する第１の検出回路と、
前記アナログ・デジタル変換した信号の直流成分を検出する第２の検出回路と、
前記第１と第２の検出回路を切り替える第１のスイッチ回路と、
前記アナログ・デジタル変換した信号から前記第１または第２の検出回路により検出した直流成分を所定の時定数で除去する除去回路と、を有して構成され、
信号とクロックの位相関係が異なる場合でも、当該位相関係に応じて、前記第１と第２の検出回路を前記第１のスイッチ回路を用いて切り替えることにより、再生信号の直流成分を適切に検出し、前記所定の時定数で除去すること、を特徴とする光ディスク装置の回路。
【請求項２】
ディスクにレーザ光線の焦点を合わせるための光学ピックアップを備え光学的に前記ディスクに対する情報の再生または記録再生を行う光ディスク装置の回路であって、
前記ディスクから前記ピックアップを通じて読み出されるアナログ入力信号を所定のクロックでアナログ・デジタル変換する回路と、
前記アナログ・デジタル変換する回路によって得られた信号に基づき、データ信号と前記アナログ・デジタル変換のサンプリングクロックとを同期させる位相同期回路と、
前記アナログ・デジタル変換する回路によって得られた信号の波形を等化させる等化回路と、
前記波形を等化した信号の直流成分を検出する第１の検出回路と、
前記波形を等化した信号の直流成分を検出する第２の検出回路と、
前記第１と第２の検出回路を切り替える第１のスイッチ回路と、
前記波形を等化した信号から前記第１または第２の検出回路により検出した直流成分を第１の時定数で除去する第１の除去回路と、
前記波形を等化した信号から前記第１または第２の検出回路により検出した直流成分を第２の時定数で除去する第２の除去回路と、
前記第１と第２の除去回路を切り替える第２のスイッチ回路と、を有して構成され、
信号とクロックの位相関係が異なる場合でも、当該位相関係に応じて、前記第１と第２の検出回路を前記第１のスイッチ回路を用いて切り替え、前記第１と第２の除去回路を前記第２のスイッチ回路を用いて切り替えることにより、再生信号の直流成分を適切に検出し、異なる前記第１または第２の時定数で除去すること、を特徴とする光ディスク装置の回路。
【請求項３】
ディスクにレーザ光線の焦点を合わせるための光学ピックアップを備え光学的に前記ディスクに対する情報の再生または記録再生を行う光ディスク装置の回路であって、
前記ディスクから前記ピックアップを通じて読み出されるアナログ入力信号を所定のクロックでアナログ・デジタル変換する回路と、
前記アナログ・デジタル変換する回路によって得られた信号に基づき、データ信号とアナログ・デジタル変換のサンプリングクロックとを同期させる位相同期回路と、
前記アナログ・デジタル変換する回路によって得られた信号の波形を等化させる等化回路と、
前記波形を等化した信号の直流成分を検出する第１の検出回路と、
前記波形を等化した信号の直流成分を検出する第２の検出回路と、
前記第１と第２の検出回路を切り替える第１のスイッチ回路と、
前記波形を等化した信号から前記第１または第２の検出回路により検出した直流成分を第１の時定数で除去する第１の除去回路と、
前記波形を等化した信号から前記第１または第２の検出回路により検出した直流成分を第２の時定数で除去する第２の除去回路と、
前記第１と第２の除去回路を切り替える第２のスイッチ回路と、
前記第１または第２の除去回路により直流成分を除去した信号を最尤復号する回路と、を有して構成され、
信号とクロックの位相関係に応じて、前記第１と第２の検出回路を前記第１のスイッチ回路を用いて切り替え、前記第１と第２の除去回路を前記第２のスイッチ回路を用いて切り替えることにより、再生信号の直流成分を適切に検出し、異なる前記第１または第２の時定数で除去すること、を特徴とする光ディスク装置の回路。
【請求項４】
請求項１〜３のいずれか一項に記載の光ディスク装置の回路において、
前記ディスクの種類または前記ディスク上の領域の種類に応じて、使用する前記検出回路及び除去回路を選択すること、を特徴とする光ディスク装置の回路。
【請求項５】
請求項２または３に記載の光ディスク装置の回路において、
前記等化回路のパラメータの構成の変更に応じて、使用する前記検出回路及び除去回路を選択すること、を特徴とする光ディスク装置の回路。
【発明の詳細な説明】
【技術分野】
【０００１】
本発明は、ディスク（記録媒体）より光学的に信号を再生または記録再生する光ディスク装置に用いる回路に関し、特に、再生信号の直流成分除去に関する。
【背景技術】
【０００２】
光ディスク装置において、再生信号の直流成分（ＤＣとする）を除去する技術、特に、アシンメトリの割合（中心レベルからの変動分割合）を検出する技術を有する。
【０００３】
例えば、特開２００５−１９０６１８号公報（特許文献１）には、「ディスクから再生された信号を利用し、再生信号処理系からアシンメトリの割合を検出することにより、信号処理の最適化を量り、適応等化処理と最尤復号化方式を用いた場合でも、容易にアシンメトリの割合を推測することが可能となり、アシンメトリの大きなディスクを再生できる情報再生装置」について記載されている。
【特許文献１】特開２００５−１９０６１８号公報
【発明の開示】
【発明が解決しようとする課題】
【０００４】
前記特許文献１のような技術では、ＰＬＬの位相誤差積算出力と位相誤差閾値との関係や、適応等化誤差積算出力と等化誤差閾値との関係により、中心レベルからの変動分割合（アシンメトリ）を判断して、サンプリングタイミングが読み出し信号の中心レベルからの変動を無くす手段を有する。しかしながら、このような手段では、一定の期間、媒体上の記録情報を読み出す必要がある。
【０００５】
例えば、図７（ａ），（ｂ）に示すＤＶＤ−ＲＡＭディスク５０（一部断面）及びそのフォーマットの場合には、以下に述べる問題がある。ＤＶＤ−ＲＡＭディスク５０には、相変化記録膜からなる記録領域（Recording field）５１と、物理的ＩＤが埋め込まれている（プリフォーマットされている）エンボスピット５４からなるヘッダ領域（Header field）５２と、ミラー領域（Mirror(MIRR) field）５３と、が混在している。更に、このヘッダ領域５２では、ランド（Land）５５とグルーブ（Groove）５６と呼ばれる両方の領域にアドレスを与えるために、エンボスピット５４の位置をトラック方向にわずかにずらして配置されている。図７（ｂ）に示すフォーマットのように、ＤＶＤ−ＲＡＭでは、１セクタが２６９７バイトに対し、記録領域５１は２５６７バイト、ヘッダ領域５２は１２８バイト、ミラー領域５３は２バイトである。これからもわかるように、記録領域５１に対しヘッダ領域５２が２０分の１程度短い。
【０００６】
上記のような媒体の再生では、特性の異なるそれぞれの領域の影響を受けることにより、特に、領域（長さ）が短いヘッダ領域での中心レベルからの変動分（再生信号の直流成分）を除去できない、という問題があった。また短いヘッダ領域の変動分を検出するために適応等化手段の追従速度を速めると、記録領域では突発的な変動分も検出してしまい、正しく中心レベルからの変動分割合を判断することができない、という問題があった。
【０００７】
また、従来では、ＤＣ検出回路は１つであったので、例えば装置内の波形等化やＰＬＬ等の構成による再生信号と再生クロックとの位相ずれには対応できないという問題があった。
【０００８】
本発明は、以上のような問題に鑑みてなされたものであり、第１の目的は、光ディスク装置における回路において、ＤＶＤ−ＲＡＭディスク等の光ディスク（記録領域とヘッダ領域というように複数の特性の異なる領域が存在する記録媒体）を再生する際に、媒体上の複数の特性の異なる領域（記録領域、ヘッダ領域）用のそれぞれ独立した読み出し信号の中心レベルからの変動分（再生信号の直流成分）を、再生信号と再生クロックの位相が異なっていても、それぞれの領域で検出することができる技術を提供することである。更に、第２の目的は、上記それぞれの領域の影響を受けることなく、再生信号の直流成分をそれぞれの領域で除去することができ、例えば記録領域の再生性能とヘッダ領域のＩＤの取得率（読み率）を向上することができる技術を提供することである。
【課題を解決するための手段】
【０００９】
本願において開示される発明のうち、代表的なものの概要を簡単に説明すれば、次のとおりである。前記目的を達成するために、本発明は、ディスクにレーザ光線の焦点を合わせるためのピックアップ（光学ピックアップ）を備え、光学的にディスクに対する情報の再生または記録再生を行う光ディスク装置及びその回路（ＩＣ等）であって、以下に示す構成を有することを特徴とする。
【００１０】
本回路は、ディスクからのピックアップを通じた読み取りによるアナログ入力信号を所定のクロック（再生クロック）でアナログ・デジタル（Ａ・Ｄ）変換する手段（Ａ・Ｄ変換手段）と、Ａ・Ｄ変換によって得られた信号（デジタルの再生信号）から、データ信号（再生信号）とＡ・Ｄ変換のサンプリングクロック（再生クロック）とを同期させる手段（位相同期手段）と、Ａ・Ｄ変換によって得られた信号の波形を等化させる手段（波形等化手段）と、Ａ・Ｄ変換によって得られた信号（波形を等化した信号）の直流成分（ＤＣ）を除去する１つ以上の手段（ＤＣ除去手段）及び２つ以上ある場合のＤＣ除去手段を切り替える第１の切り替え手段（スイッチ）と、Ａ・Ｄ変換によって得られた信号（波形を等化した信号）の直流成分（ＤＣ）を検出する２つ（第１と第２）以上の手段（ＤＣ検出手段）及び２つ以上のＤＣ検出手段を切り替える第２の切り替え手段（スイッチ）と、ＤＣ除去手段により直流成分を除去した信号を最尤復号する手段（最尤復号手段）と、を有して構成され、信号（再生信号、位相同期手段の入力）とクロック（再生クロック、位相同期手段の出力）の位相関係が異なった場合でも、当該位相関係に応じた切り替え制御（使用する回路の選択）により、再生信号の直流成分を適切に検出して、適切な時定数をもって除去すること、を特徴とする。
【発明の効果】
【００１１】
本願において開示される発明のうち、代表的なものによって得られる効果を簡単に説明すれば以下のとおりである。本発明によれば、第１の効果は、光ディスク装置における回路において、ＤＶＤ−ＲＡＭディスク等の光ディスク（記録領域とヘッダ領域というように複数の特性の異なる領域が存在する記録媒体）を再生する際に、媒体上の複数の特性の異なる領域（記録領域、ヘッダ領域）用のそれぞれ独立した読み出し信号の中心レベルからの変動分（再生信号の直流成分）を、再生信号と再生クロックの位相が異なっていても、それぞれの領域で検出することができる。更に、第２の効果は、上記それぞれの領域の影響を受けることなく、再生信号の直流成分をそれぞれの領域で除去することができ、例えば記録領域の再生性能とヘッダ領域のＩＤの取得率（読み率）を向上することができる。
【発明を実施するための最良の形態】
【００１２】
以下、本発明の実施の形態を図面に基づいて詳細に説明する。なお、実施の形態を説明するための全図において、同一部には原則として同一符号を付し、その繰り返しの説明は省略する。
【００１３】
図１〜図７を用いて、本発明の実施の形態の光ディスク装置及びその回路（ＬＳＩ１００）を説明する。本実施の形態では、適切な異なる時定数による２つのＤＣ除去回路（１３ａ，１３ｂ）に対応した２つのＤＣ検出回路（１７ａ，１７ｂ）を備え、切り替え制御により、ＰＬＬ回路１０での再生信号と再生クロックの位相関係が異なる場合でも、再生信号の直流成分（ＤＣ）を検出して適切な時定数をもって除去するものである（図１等）。
【００１４】
＜光ディスク装置＞
図１において、光ディスク装置の構成を示している。本装置は、セットされたディスク（光ディスク）１に対する情報・データの再生または記録再生を行う。本装置は、クランパ２ａ、ターンテーブル２ｂ、対物レンズ３、ピックアップ（光学ピックアップ）４、スレッドモータ５、スピンドルモータ６、信号処理回路７、ＬＳＩ１００を有する。ＬＳＩ１００の範囲は実装の一例である。
【００１５】
ＬＳＩ１００は、サーボ回路８、Ａ・Ｄ変換器９、位相同期回路（ＰＬＬ（Phase-Looked loop）回路）１０、波形等化回路１１、スイッチ（ａ〜ｄの切り換えスイッチ）１２ａ，１２ｂ，１２ｃ，１２ｄ、第１の直流成分（ＤＣ）除去回路（＃１）１３ａ，第２の直流成分（ＤＣ）除去回路（＃２）１３ｂ、最尤復号回路１５、復調・誤り訂正回路１６、第１の直流成分（ＤＣ）検出回路（＃１）１７ａ，第２の直流成分（ＤＣ）検出回路（＃２）１７ｂを有する。
【００１６】
また、時定数１４ａ，時定数１４ｂは、対応するＤＣ除去回路（＃１）１３ａ，ＤＣ除去回路（＃２）１３ｂに対して設定される。切替信号＃１は、スイッチ１２ａ及び１２ｂに供給される。切替信号＃２は、スイッチ１２ｄに供給される。ＯＮ／ＯＦＦ信号は、スイッチ１２ｃに供給される。切替信号＃１，＃２及びＯＮ／ＯＦＦ信号は、例えば、ＬＳＩ１００に対する上位のマイコン等から制御及び供給される（あるいは別の回路から供給されてもよい）。
【００１７】
再生対象となるディスク１は、例えば図７のようなＤＶＤ−ＲＡＭディスク５０を含む。ＤＣ除去回路（１３ａ，１３ｂ）及びＤＣ検出回路（１７ａ，１７ｂ）は、このディスク１に対応した構成である。
【００１８】
＜動作概要＞
本装置の動作概要は以下である。ターンテーブル２ｂ上にセットされたディスク１は、クランパ２ａで、ターンテーブル２ｂに固定される。スピンドルモータ６が回転することで、ディスク１が回転する。ピックアップ４からディスク１にレーザ光を照射してディスク１で反射された光をピックアップ４で検出する。検出した信号（アナログ入力信号）から、信号処理回路７において、対物レンズ３がフォーカス方向（ディスク１に垂直方向）・トラッキング方向（ディスク１に平行・半径方向）に移動している位置に関する位置情報信号を生成し、サーボ回路８に供給する。サーボ回路８において、遅れ補償器や進み補償器などを用いてフィードバック制御を行い、対物レンズ３を、フォーカス方向・トラッキング方向に動かす制御信号を生成する。この制御信号により対物レンズ３はフォーカス方向に制御され、フィードバックループのフォーカス制御が実現され、常に合焦点にいる状態が保たれる。また、この制御信号により、対物レンズ３はトラッキング方向にも制御され、フィードバックループのトラッキング制御が実現され、常にディスク１の記録面におけるピット上にいるオントラック状態が保たれる。
【００１９】
また、サーボ回路８では、前記トラッキング制御の状態から遅れ補償器や進み補償器などを用いてフィードバック制御を行い、対物レンズ３のトラッキング方向へのずれに応じてスレッドモータ５を制御する制御信号を生成し、スレッドモータ５を動作させ、ピックアップ４自体を移動させる。また、信号処理回路７では、ディスク１から読み取った回転周期情報などを用いてフィードバック制御を行い、この回転周期情報に基づいて、サーボ回路８でスピンドルモータ６を制御する信号を生成し、スピンドルモータ６を動作させる。以上が、定常時において、対物レンズ３が合焦点上で、さらにオントラック位置にあって、フォーカス、トラッキング、スピンドルとスレッドが制御された、再生の状態である。なお、ピックアップ４により読み出された信号から復調・誤り訂正回路１６から出力する信号まで、再生信号と称する。
【００２０】
このとき、ピックアップ４では、ディスク１にレーザ光を照射して、その反射光量あるいは偏向を検出し、ディスク１上の情報を読み出す。ピックアップ４により読み出された再生信号は、信号処理回路７に供給される。信号処理回路７では、供給された再生信号の振幅レベルや周波数特性などを調整し出力する。この調整された再生信号をＡ・Ｄ変換器９に供給し、Ａ・Ｄ変換器９において、アナログ信号からデジタル信号に変換する。Ａ・Ｄ変換された再生信号は、ＰＬＬ回路１０に入力される。そして、このＰＬＬ回路１０において生成・出力する再生クロック（Ａ・Ｄ変換のサンプリングクロック）の位相を、当該入力される再生信号に同期させる。
【００２１】
＜ＰＬＬ回路＞
図２において、ＰＬＬ回路１０の一例を示している。ＰＬＬ回路１０において、位相誤差検出回路２０、ループフィルタ２１、電圧制御発振器２２（Voltage Controlled Oscillator：ＶＣＯ）から成る。位相誤差検出回路２０では、再生信号を入力し、ＶＣＯ２２で生成する再生クロックと入力される再生信号とのゼロクロス点の前後の信号値の差を位相誤差として検出し、ループフィルタ２１に供給する。ループフィルタ２１では、入力した位相誤差信号の利得を調整し、利得を調整した位相誤差信号をＶＣＯ２２に供給する。ＶＣＯ２２では、位相誤差信号の値に応じたクロックを発振し、再生クロックとして生成・出力する。以上のＰＬＬ回路１０の構成により、再生クロックの位相を、入力される再生信号に同期させることができる。
【００２２】
ＰＬＬ回路１０の出力の再生クロックは、波形等化回路１１、最尤復号回路１５、ＤＣ除去回路（１３ａ，１３ｂ）、ＤＣ検出回路（１７ａ，１７ｂ）等の各部へ供給される。
【００２３】
＜ＤＣ検出及びＤＣ除去等＞
他方、前記Ａ・Ｄ変換された再生信号は、波形等化回路１１に供給され、この波形等化回路１１において振幅レベルや周波数特性を調整し、再生信号の波形を等化する。この波形等化された信号は、最尤復号回路１５の手前のスイッチ１２ｃに供給されると共に、第１のＤＣ除去回路（＃１）１３ａと第２のＤＣ除去回路（＃２）１３ｂに供給される。他方、前記波形等化された信号は、第１のＤＣ検出回路（＃１）１７ａと第２のＤＣ検出回路（＃２）１７ｂにも供給される。第１と第２のＤＣ検出回路１７ａ，１７ｂでは、それぞれ、供給された信号の直流成分（ＤＣ）を検出する。第１と第２のＤＣ検出回路１７ａ，１７ｂで検出した直流成分信号は、スイッチ１２ｄに供給される。スイッチ１２ｄに供給されたそれぞれのＤＣ信号は、切替信号＃２によりどちらかが選択されて、次のスイッチ１２ａに供給される。スイッチ１２ｄでは、例えば、切替信号＃２が“ＬＯＷ”の場合はＨ側（下の第２のＤＣ検出側）が選択され、“ＨＩＧＨ”の場合はＧ側（上の第１のＤＣ検出側）が選択される。
【００２４】
ＤＣ除去回路（１３ａ，１３ｂ）の手前のスイッチ１２ａに供給された信号（ＤＣ信号）は、切替信号＃１によりどちらかが選択されて、第１のＤＣ除去回路（＃１）１３ａまたは第２のＤＣ除去回路（＃２）１３ｂに供給される。スイッチ１２ａでは、例えば、切替信号＃１が“ＬＯＷ”の場合はＡ側（上の第１のＤＣ除去側）が選択され、“ＨＩＧＨ”の場合はＢ側（下の第２のＤＣ除去側）が選択される。
【００２５】
第１と第２のＤＣ除去回路１３ａ，１３ｂでは、供給された波形等化された信号（再生信号）から、検出された直流成分（ＤＣ）を除去し、それぞれの信号が次のスイッチ１２ｂに供給される。スイッチ１２ｂに供給されたそれぞれの信号は、切替信号＃１によりどちらかが選択されて出力される。スイッチ１２ｂでは、例えば、切替信号＃１が“ＬＯＷ”の場合はＣ側（上の第１のＤＣ除去側）が選択され、“ＨＩＧＨ”の場合はＤ側（下の第２のＤＣ除去側）が選択される。
【００２６】
スイッチ１２ｂから出力された信号はスイッチ１２ｃに供給される。スイッチ１２ｃに供給された、波形等化回路１１からの出力信号（Ｅ側端子）とスイッチ１２ｂからの出力信号（Ｆ側端子）とは、ＯＮ／ＯＦＦ信号によりどちらかが選択されて出力される。スイッチ１２ｃでは、例えば、ＯＮ／ＯＦＦ信号が“ＬＯＷ”の場合はＤＣ除去機能が“ＯＦＦ”となり、Ｅ側（上の波形等化回路１１からの出力信号）が選択され、“ＨＩＧＨ”の場合はＤＣ除去機能が“ＯＮ“となり、Ｆ側（下のスイッチ１２ｂからの出力信号）が選択される。スイッチ１２ｃから出力した信号は、最尤復号回路１５に供給され、最尤復号回路１５により再生信号が復号される。この復号された再生信号は、復調・誤り訂正回路１６に供給され、復調・誤り訂正回路１６では再生信号の復調と誤り訂正処理が行われる。この処理された再生信号（二値化信号）が、上位（マイコン等）へ出力される。
【００２７】
＜ＤＣ除去回路＞
図３において、第１のＤＣ除去回路（＃１）１３ａと第２のＤＣ除去回路（＃２）１３ｂの構成の一例を示している。このＤＣ除去回路１３は、減算器３１ａ，３１ｂ、乗算器３２ａ，３２ｂ、加算器３３、遅延レジスタ（Ｄ）３４から構成されている。以下動作を説明する。波形等化回路１１から出力される再生信号を、減算器３１ｂに供給する。また、第１のＤＣ検出回路（＃１）１７ａまたは第２のＤＣ検出回路（＃２）１７ｂから出力される直流成分（ＤＣ）信号を、減算器３１ａに供給する。他方、遅延レジスタ３４からの出力信号が、減算器３１ａに入力される。減算器３１ａでは、入力されるＤＣ信号から、遅延レジスタ３４の出力値を減算した結果を、第１の乗算器３２ａに供給する。第１の乗算器３２ａには、あらかじめ時定数１４（図１の１４ａ，１４ｂに対応する）が設定されており、この時定数１４と減算器３１ａからの出力値とを乗算した結果を、加算器３３に供給する。他方、第２の乗算器３２ｂからの出力を、加算器３３に供給する。加算器３３では、第１の乗算器３２ａの出力と第２の乗算器３２ｂの出力とを加算して、遅延レジスタ３４に供給する。
【００２８】
遅延レジスタ３４に供給された加算器３３の出力は、第１または第２のＤＣ検出回路（１７ａ，１７ｂ）で次に波形等化回路１１から出力される再生信号があるスライスレベルをまたぐ状態とそのときの再生クロックとの位相の差を前記再生信号波形の振幅情報を直流成分として検出するまで、保持される。遅延レジスタ３４の出力を第２の乗算器３２ｂに供給する。この第２の乗算器３２ｂには、あらかじめ時定数１４（図１の１４ａ，１４ｂに対応する）が設定されており、この時定数１４と遅延レジスタ３４からの出力値とを乗算した結果を、加算器３３に供給する。
【００２９】
第１の乗算器３２ａ、加算器３３、遅延レジスタ３４、第２の乗算器３２ｂにより、デジタルフィルタが構成され、第１の乗算器３２ａと第２の乗算器３２ｂに設定する時定数１４により、低域通過フィルタ（ローパスフィルタ）が実現される。第１または第２のＤＣ検出回路（１７ａ，１７ｂ）で検出したＤＣを、低域通過フィルタに通すことで、広域のノイズ成分や突発的なＤＣは検出せずに、定常的なＤＣだけを検出することができる。この検出された定常的なＤＣが、遅延レジスタ３４の出力であり、この出力は第２の減算器３１ｂに供給される。
【００３０】
他方、入力される再生信号が第２の減算器３１ｂに供給される。遅延レジスタ３４からの出力と入力される再生信号とを供給された第２の減算器３１ｂでは、入力される再生信号から遅延レジスタ３４からの出力を減算し出力する。この出力信号は、入力信号から定常的にＤＣが減算された信号、つまりは入力される再生信号から定常的なＤＣが除去された再生信号となる。
【００３１】
＜ＤＣ検出例＞
また、図４と図５を用いて、第１のＤＣ検出回路（＃１）１７ａと第２のＤＣ検出回路（＃２）１７ｂにおいて、波形等化回路１１から出力される信号があるスライスレベルをまたぐ状態とそのときの再生クロックとの位相の差を前記信号波形の振幅情報を直流成分（ＤＣ）として検出する一例を説明する。
【００３２】
例えば第１のＤＣ検出回路１７ａでは図４の場合とする。図４には、入力される再生信号とＰＬＬ回路１０で生成する再生クロックとを示している。入力される再生信号のスライスレベルをまたぐ点（ゼロクロス点）とＰＬＬ回路１０で生成する再生クロックにより再生信号をサンプリングする点（サンプリング点）が同一点となる場合である。
【００３３】
図４（ａ）の場合のように、再生信号のゼロクロス点とサンプリング点との位相の差が無い状態は、前記再生信号にＤＣが無い状態である。また図４（ｂ）の場合は、再生信号のゼロクロス点とサンプリング点との位相の差がある状態、つまりは前記再生信号にＤＣが残っている状態である。再生信号のゼロクロス点後のサンプリング点での再生信号の振幅値とスライスレベルとの差分がそのまま再生信号のＤＣとなる。
【００３４】
他方、例えば第２のＤＣ検出回路１７ｂでは図５の場合とする。図５では、入力される再生信号のゼロクロス点とＰＬＬ回路１０で生成するサンプリング点とが１８０度ずれている場合である。図５（ａ）の場合のように、再生信号のゼロクロス点（Ｃ点、Ｆ点）にはサンプリング点が無いため、図４の場合のようにサンプリング点での再生信号の振幅値とスライスレベルとの差分がそのまま再生信号のＤＣとはならない。この場合は、再生信号のゼロクロス点（Ｃ点、Ｆ点）の前後のサンプリング点（前はＡ点とＤ点、後ろはＢ点とＥ点）からＣ点やＦ点の値を求める処理が必要である。例えば、Ａ点でのサンプリング点での振幅値とＢ点でのサンプリング点での振幅値を足して２で割ると、ゼロクロス点でのＣ点の振幅値が求まる。同様に、Ｄ点でのサンプリング点での振幅値とＥ点でのサンプリング点での振幅値を足して２で割ると、ゼロクロス点でのＦ点の振幅値が求まる。求めたＣ点またはＦ点の振幅値が、ゼロクロス点での再生信号の振幅値とスライスレベルとの差分、つまりは再生信号のＤＣとなる。
【００３５】
図５（ａ）の場合は、再生信号にＤＣが無い場合であり、Ｃ点の振幅値はゼロとなる。また図５（ｂ）の場合は、同様に再生信号のゼロクロス点の前後のサンプリング点（前はＧ点とＪ点、後ろはＨ点とＫ点）からＩ点やＬ点の値を求める処理が必要である。例えば、Ｇ点でのサンプリング点での振幅値とＨ点でのサンプリング点での振幅値を足して２で割ると、ゼロクロス点付近でのＩ点の振幅値が求まる。同様にＪ点でのサンプリング点での振幅値とＫ点でのサンプリング点での振幅値を足して２で割ると、ゼロクロス点付近でのＬ点の振幅値が求まる。求めたＩ点またはＬ点の振幅値がゼロクロス点での再生信号の振幅値とスライスレベルとの差分、つまりは再生信号のＤＣとなる。図５（ｂ）の場合はＩ点またはＬ点の振幅値がゼロでない状態、つまりは前記再生信号にＤＣが残っている状態である。
【００３６】
図４と図５に示したような、入力される再生信号のゼロクロス点とＰＬＬ回路１０で生成するサンプリング点とが同相や１８０度ずれたりするのは、ＰＬＬ回路１０や波形等化回路１１の構成や係数などによって生じる。この構成や係数はあらかじめ決まっているものである（設計に応じて動作時には一意に定まっている）。よって、当該構成や係数などに応じて、切替信号＃２（スイッチ１２ｄ）を切り替えて適切なＤＣ検出回路（１７ａ，１７ｂ）の構成（例えば図４や図５）を選択すればよい。以上のようにすれば、再生信号と再生クロックの位相関係が異なっていたとしても、第１と第２のＤＣ検出回路（１７ａ，１７ｂ）において再生信号のＤＣを検出することができる。
【００３７】
なお、例えば図４と図５の構成は、動作時にはどちらかに一意に決まっている。また、例えば特性の異なる領域だけでなく、特性の異なるディスク（例えばブルーレイディスクとＤＶＤ−ＲＡＭディスク）を本装置で再生する際に、これらの構成が切り替わる（例えばブルーレイディスクで図４の構成、ＤＶＤ−ＲＡＭディスクで図５の構成）。また、本装置で、波形等化やＰＬＬの構成を動作中に変更する場合もあり、その場合も上記位相ずれが起こり得る。
【００３８】
＜切り替え制御動作＞
図６において、ＤＶＤ−ＲＡＭディスク５０（ディスク１）を再生する際における、スイッチ１２ａ，１２ｂ，１２ｃ，１２ｄの切り替え制御動作を説明する。前述したように、ＤＶＤ−ＲＡＭディスク５０には、記録領域５１と物理的ＩＤが埋め込まれているヘッダ領域５２が存在する。このとき、切替信号＃１が、例えばヘッダ領域５２では“ＨＩＧＨ”、記録領域５１では“ＬＯＷ”となるように制御されたとき、スイッチ１２ａは、切替信号＃１が“ＨＩＧＨ”のときＢ側になり“ＬＯＷ”のときＡ側に切り替わる。またスイッチ１２ｂは、切替信号＃１が“ＨＩＧＨ”のときＤ側になり“ＬＯＷ”のときＣ側に切り替わる。要は、切替信号＃１が“ＨＩＧＨ”のとき第２のＤＣ除去回路１３ｂが動作し、切替信号＃１が“ＬＯＷ”のとき第１のＤＣ除去回路１３ａが動作するようになる。このとき、第１のＤＣ除去回路１３ａには、ヘッダ領域５２用に短い時間でＤＣが除去できるように、時定数１４ａの値としては小さくなるような値を設定し、短期間でＤＣが除去できるようにする。また第２のＤＣ除去回路１３ｂには、記録領域５１用に長い時間でＤＣが除去できるように、時定数１４ｂの値としては大きくなるような値を設定し、定常的なＤＣが除去できるようにする。これにより、ヘッダ領域５２と記録領域５１とで時定数の特性の異なる直流成分除去を行うことができる。上記時定数１４の設定は、一定としてもよいし、可変としてもよい。
【００３９】
更に、このＤＣ除去回路（１３ａ，１３ｂ）（ＤＣ除去機能）を用いないで波形等化回路１１の出力で復号処理を行いたい場合のために、ＯＮ／ＯＦＦ信号をＯＦＦ（“ＬＯＷ”）にすると、スイッチ１２ｃがＥ側になり、波形等化回路１１の出力がスイッチ１２ｃを経由して最尤復号回路１５に供給される。ＯＮ／ＯＦＦ信号をＯＮ（“ＨＩＧＨ”）にするとスイッチ１２ｃはＦ側になり、第１もしくは第２のＤＣ除去回路（１３ａ，１３ｂ）のどちらかの選択出力（スイッチ１２ｂ経由）が、スイッチ１２ｃ経由で最尤復号回路１５に供給される。
【００４０】
更に、切替信号＃２により、２つのＤＣ検出回路（１７ａ，１７ｂ）を切り替える。例えば、波形等化等の特性を変更した場合（波形等化回路１１のパラメータを変更した場合）に、タイミングＴ１で、切替信号＃２を“ＨＩＧＨ”から“ＬＯＷ”に切り替える。これにより、スイッチ１２ｄは、Ｇ側（図４の特性のＤＣ検出回路１７ａ）からＨ側（図５の特性のＤＣ検出回路１７ｂ）へ切り替わる。これにより、前記変更に応じた、再生信号と再生クロックの位相の状態に応じて、適切なＤＣ検出回路（１７ａ，１７ｂ）が選択される。
【００４１】
以上説明したように、本実施の形態によれば、波形等化やＰＬＬの構成などに応じて再生信号と再生クロックの位相がいずれかの場所で異なる（ずれる）場合においても、２つのＤＣ検出回路（１７ａ，１７ｂ）から適切な方を選択して再生信号の直流成分を検出することができる。従来では、ＤＣ検出回路が１つであったので上記位相のずれには対応できなかったが、本装置では、１つのＬＳＩ１００の２つのＤＣ検出回路（１７ａ，１７ｂ）で対応できる。更に、ＤＶＤ−ＲＡＭディスク５０のように複数の特性の異なる領域が存在するディスク１を再生する場合においても、それぞれの領域で別々の時定数をもったＤＣ除去回路（１３ａ，１３ｂ）を動作させることで、再生信号の直流成分を除去することができる。これにより、再生性能やＩＤの取得率を向上させることができる。また、ＤＣの検出回路や除去回路は、３つ以上ある場合も同様に適用できる。
【００４２】
以上、本発明者によってなされた発明を実施の形態に基づき具体的に説明したが、本発明は前記実施の形態に限定されるものではなく、その要旨を逸脱しない範囲で種々変更可能であることは言うまでもない。
【産業上の利用可能性】
【００４３】
本発明は、光ディスク装置に利用可能である。
【図面の簡単な説明】
【００４４】
【図１】本発明の一実施の形態における光ディスク装置のブロック構成を示す図である。
【図２】本発明の一実施の形態の光ディスク装置において、ＰＬＬ回路の一例のブロック構成を示す図である。
【図３】本発明の一実施の形態の光ディスク装置において、直流成分除去回路の一例のブロック構成を示す図である。
【図４】本発明の一実施の形態の光ディスク装置において、再生信号の直流成分を説明する、第一の波形を示す図である。
【図５】本発明の一実施の形態の光ディスク装置において、再生信号の直流成分を説明する、第二の波形を示す図である。
【図６】本発明の一実施の形態の光ディスク装置において、一構成例として、スイッチの切り替えのタイミングを示す図である。
【図７】本発明の一実施の形態の光ディスク装置において再生可能である、従来技術におけるＤＶＤ−ＲＡＭディスクのフォーマットを説明するための図である。
【符号の説明】
【００４５】
１…ディスク、２ａ…クランパ、２ｂ…ターンテーブル、３…対物レンズ、４…ピックアップ、５…スレッドモータ、６…スピンドルモータ、７…信号処理回路、８…サーボ回路、９…Ａ・Ｄ変換器、１０…位相同期回路（ＰＬＬ回路）、１１…波形等化回路、１２ａ，１２ｂ，１２ｃ，１２ｄ…スイッチ（第１〜第４の切り換えスイッチ）、１３…直流成分（ＤＣ）除去回路、１３ａ…直流成分（ＤＣ）除去回路（＃１）、１３ｂ…直流成分（ＤＣ）除去回路（＃２）、１４，１４ａ，１４ｂ…時定数、１５…最尤復号回路、１６…復調・誤り訂正回路、１７ａ…直流成分（ＤＣ）検出回路（＃１）、１７ｂ…直流成分（ＤＣ）検出回路（＃２）、２０…位相誤差検出回路、２１…ループフィルタ、２２…電圧制御発振器（ＶＣＯ）、３１ａ，３１ｂ…減算器、３２ａ，３２ｂ…乗算器、３３…加算器、３４…遅延レジスタ、５０…ＤＶＤ−ＲＡＭディスク、５１…記録領域、５２…ヘッダ領域、５３…ミラー領域、５４…エンボスピット、５５…ランド、５６…グルーブ、１００…ＬＳＩ。
【図１】
2009009664.tif 000003
【図２】
2009009664.tif 000004
【図３】
2009009664.tif 000005
【図４】
2009009664.tif 000006
【図５】
2009009664.tif 000007
【図６】
2009009664.tif 000008
【図７】
2009009664.tif 000009